(57)【要約】      （修正有）【課題】簡単に持ち運ぶことができるポータブル折りたたみベッドを提供する。【解決手段】折りたたみ可能な床板１と伸縮可能なベッド本体２を備え、床板の先端を折りたたんでヘッドボードを形成し、ヘッドボードはベッド本体の先端と接続され、床板の後端を折りたたんでフットボード１２を形成し、フットボードはベッド本体の後端と接続され、床板の先端に取っ手１４が設置され、床板の上表面の中部とフットボードの中部に何れも貫通穴が設置され、貫通穴は床板を折りたたむ時に取っ手が通り抜けるために設置される。折りたたみ可能な床板と伸縮可能なベッド本体によって、使用する際、伸縮可能なベッド本体を引き伸ばし、収納する際、床板を折り畳んで収納する。【選択図】図１
0003230060.tif 000002
【実用新案登録請求の範囲】
【請求項１】
折りたたみ可能な床板と伸縮可能なベッド本体を備え、前記床板の先端を折りたたんでヘッドボードを形成し、前記ヘッドボードはベッド本体の先端と接続され、前記床板の後端を折りたたんでフットボードを形成し、前記フットボードはベッド本体の後端と接続され、前記床板の先端に取っ手が設置され、前記床板の上表面の中部とフットボードの中部に何れも貫通穴が設置され、前記貫通穴は床板を折りたたむ時に取っ手が通り抜けるために設置されることを特徴とするポータブル折りたたみベッド。
【請求項２】
前記ベッド本体は硬い段ボールやプラスチック又はフェルトを使って作られ、前記ベッド本体はオルガン式構造を採用し、ベッド本体が引き伸ばせる状態で、相互に接続する六角形のセルラー構造を呈することを特徴とする請求項１に記載のポータブル折りたたみベッド。
【請求項３】
前記ベッド本体が引き伸ばせる状態で、長手方向の長さは160ー200ｃｍとなることを特徴とする請求項2に記載のポータブル折りたたみベッド。
【請求項４】
前記ベッド本体が引き伸ばせる状態で、高さは20ー40ｃｍとなることを特徴とする請求項2に記載のポータブル折りたたみベッド。
【請求項５】
前記フットボードはベッド本体の後端と磁石を介して吸着されることを特徴とする請求項１に記載のポータブル折りたたみベッド。
【請求項６】
前記ベッド本体の底部に耐水材料が塗布されていることを特徴とする請求項１−５の何れかに記載のポータブル折りたたみベッド。
【考案の詳細な説明】
【技術分野】
【０００１】
本考案はベッドの技術分野に関し、特にポータブル折りたたみベッドに関する。
【背景技術】
【０００２】
ベッドは人々の日常生活に不可欠な休憩するための道具とし、科学技術の発展に伴って、人々がベッドに対するニーズにより、様々なベッドが生まれ、人々の日常休憩のニーズを満足するために、折りたたみベッドは多くのユーザーから愛されているが、今既存の折りたたみベッドは木材や金属からなり、コストが高い一方、自重も重く、また折り畳んだ後持ち運ぶには極めて不便なので、ベッドに対するニーズが多くて、ベッドの場所をよく変更する必要がある工場や工事チーム等に適用しないため、コストが安く、持ち運びに便利な折り畳みベッドを開発する必要がある。
【考案の概要】
【考案が解決しようとする課題】
【０００３】
上記の課題を解決するために、本考案は、ポータブル折りたたみベッドを提供するのを目的とする。
【課題を解決するための手段】
【０００４】
以上の目的を実現するために、本考案の使用する技術的な解決方案は以下の通りである。ポータブル折りたたみベッドであって、それは折りたたみ可能な床板と伸縮可能なベッド本体を備え、前記床板の先端を折りたたんでヘッドボードを形成し、前記ヘッドボードはベッド本体の先端と接続され、前記床板の後端を折りたたんでフットボードを形成し、前記フットボードはベッド本体の後端と接続され、前記床板の先端に取っ手が設置され、前記床板の上表面の中部とフットボードの中部に何れも貫通穴が設置され、前記貫通穴は床板を折りたたむ時に取っ手が通り抜けるために設置される。
【０００５】
好ましくは、前記ベッド本体は硬い段ボールやプラスチック又はフェルトを使って作られ、前記ベッド本体はオルガン式構造を採用し、ベッド本体が引き伸ばせる状態で、相互に接続する六角形のセルラー構造を呈する。
【０００６】
好ましくは、前記ベッド本体が引き伸ばせる状態で、長手方向の長さは160ー200ｃｍとなる。
【０００７】
好ましくは、前記ベッド本体が引き伸ばせる状態で、高さは20ー40ｃｍとなる。
【０００８】
好ましくは、前記フットボードはベッド本体の後端と磁石を介して吸着される。
【０００９】
好ましくは、前記ベッド本体の底部に耐水材料が塗布されている。
【考案の効果】
【００１０】
本考案の有益な効果は以下の通りである。折りたたみ可能な床板と伸縮可能なベッド本体によって、使用する際、伸縮可能なベッド本体を引き伸ばし、収納する際、床板を折り畳んで収納する。収納後、ベッドはサイズが小さくなり、取っ手を握って簡単に持ち運ぶことができる。また、より硬い材料を使用して作られたため、製造コストが低く、軽量で、より良い携帯性を持っている。
【図面の簡単な説明】
【００１１】
【図１】本考案の実施例に係る折りたたみベッドの全体的な構造を示す図である。
【図２】本考案の実施例に係る折りたたみベッドの底部の構造を示す図である。
【図３】本考案の実施例に係る折りたたみベッドの解体構造を示す図である。
【図４】本考案の実施例に係る折りたたみベッドの収納構造を示す図である。
【考案を実施するための形態】
【００１２】
本考案をよりよく理解するために、これから図面を参照して、本考案について具体的に説明する。図面に、本考案の好ましい実施例を示すが、全部の実施例ではない。むしろ、これらの実施例によって、本実用新案の開示内容をより完全に理解するためである。
【００１３】
説明すべきなのは、ある部品は他の部品に「固定される」と呼ばれる場合、直接に他の部品に固定されてもよく、又は中間部品を介して固定されることもよい。ある部品は他の部品に「接続される」と呼ばれる場合、直接に他の部品に接続されてもよく、又は中間部品を介して接続されることもよい。それに対して、ある部品は他の部品の「上」に「直接に接続される」と呼ばれる場合、中間部品が存在しない。本明細書で使用される用語「垂直的な」、「水平的な」、「左」、「右」および同様の表現は、説明するために用いられ、唯一の実施形態ではない。ここで使用される用語「上端」、「下端」、「左側」、「右側」、「先端」、「後端」および同様の表現は参照図面の位置関係を示す。
【００１４】
別で定義しない限り、本明細書で使用されるすべての技術および科学用語は、本技術分野の当業者が一般的に理解する意味と同じである。本明細書で使用される用語は、具体的な実施形態を説明する目的だけであり、本考案の保護範囲は何ら限定されない。本明細書で使用される用語「及び／又は」は、1つまたは複数の関連項目の何れ又はすべての組み合わせを含む。
【００１５】
これから、下記具体的な実施例をもって、本考案の技術手段について具体的に説明する。
【００１６】
図1ー3に示すように、本考案は、ポータブル折りたたみベッドを提供し、それは折りたたみ可能な床板と伸縮可能なベッド本体を備え、床板の先端を折りたたんでヘッドボードを形成し、ヘッドボードはベッド本体の先端と接続され、床板の後端を折りたたんでフットボードを形成し、フットボードはベッド本体の後端と接続され、床板の先端に取っ手が設置され、床板の上表面の中部とフットボードの中部に何れも貫通穴が設置され、貫通穴は床板を折りたたむ時に取っ手が通り抜けるために設置される。
【００１７】
具体的な実施例では、ベッド本体は硬い段ボールやプラスチック又はフェルトを使って作られ、ベッド本体はオルガン式構造を採用し、ベッド本体が引き伸ばせる状態で、相互に接続する六角形のセルラー構造を呈する。
【００１８】
具体的な実施例では、ベッド本体が引き伸ばせる状態で、長手方向の長さは160ー200ｃｍとなる。
【００１９】
具体的な実施例では、ベッド本体が引き伸ばせる状態で、高さは20ー40ｃｍとなる。
【００２０】
具体的な実施例では、フットボードはベッド本体の後端と磁石を介して吸着される。
【００２１】
具体的な実施例では、ベッド本体の底部に耐水材料が塗布されている。
【００２２】
今回発明された折りたたみベッドは、床板を折りたたむことができるように設計されて、収納する際、床板をたりたたむことで、収縮状態のベッド本体を包んで、床板に設置された取っ手及び貫通穴も対応して使用する。床板を折り畳んだ後、折りたたみベッド全体がトランクみたいな形になり、持ち運びやすい。
【００２３】
使用する際、床板を開けて、ベッド本体を引き伸ばし、使用者の身長によりある程度まで引き伸ばし、例えば、160とか、180ｃｍとか、200までもよい、これで人によるニーズを対応することができるとともに、空間を有効に利用することができる。ヘッドボードとフットボードをそれぞれベッド本体の前端と後端と吸着して接続するとこで、完全なベッド本体を形成し、休憩に用いられる。本考案では、ベッド本体は硬い段ボールやプラスチック又はフェルトを使って作られ、また、実際によって、底部に耐水材料を塗布しているため、ある程度で、湿潤な環境での使用寿命を延長する。
【００２４】
本考案は、折りたたみ可能な床板と伸縮可能なベッド本体によって、使用する際、伸縮可能なベッド本体を引き伸ばし、収納する際、床板を折り畳んで収納する。収納後、ベッドはサイズが小さくなり、取っ手を握って簡単に持ち運ぶことができる。また、より硬い材料を使用して作られたため、製造コストが低く、軽量で、より良い携帯性を持っている。
【００２５】
最後に説明すべきなのは、上記は本考案の好ましい実施方式のみであり、本考案の保護範囲は何ら限定されない。本明細書に具体的な個別事例を応用して本考案の原理及び実施方式を説明したが、本技術分野の当業者にとって、本考案の原理から逸脱しない前提において、全ての改善と修正、変化または組み合わせ、いずれも本考案の保護範囲とみなすべきである。
【符号の説明】
【００２６】
1、床板；11、ヘッドボード；12、フットボード；13、貫通穴；14、取っ手；2、ベッド本体
【図１】
0003230060.tif 000003
【図２】
0003230060.tif 000004
【図３】
0003230060.tif 000005
【図４】
0003230060.tif 000006